【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、開口絞り、少なくとも１つの負の屈折力のレンズ群を有する中間群、正の屈折力の最終レンズ群より構成され、ズーミングに際して隣り合うレンズ群の間隔が変化するズームレンズであって、
前記第３レンズ群は２つ以上の正レンズと１つ以上の負レンズを有し、
望遠端における前記第１レンズ群と前記第２レンズ群の合成焦点距離をｆ１２ｔ、前記中間群を構成するレンズ群のうち負の屈折力の絶対値が最も大きいレンズ群Ｎの焦点距離をｆｎ、前記第３レンズ群の焦点距離をｆ３、望遠端における全系の焦点距離をｆｔとするとき、
１．５０＜｜ｆ１２ｔ｜／ｆ３＜２．２０
０．２８＜｜ｆｎ｜／ｆｔ＜０．５９
なる条件式を満足することを特徴とするズームレンズ。
【請求項２】
広角端における前記最終レンズ群の横倍率をβｋｗとするとき、
０．３０＜βｋｗ＜０．８０
なる条件式を満足することを特徴とする請求項１に記載のズームレンズ。
【請求項３】
０．１０＜ｆ３／ｆｔ＜０．４０
なる条件式を満足することを特徴とする請求項１又は２に記載のズームレンズ。
【請求項４】
前記第３レンズ群において、最も広い空気間隔の物体側に配置された部分を第３ａ群とし、前記第３ａ群の焦点距離をｆ３ａとするとき、
０．８０＜ｆ３ａ／ｆ３＜２．００
なる条件式を満足することを特徴とする請求項１乃至３のいずれか１項に記載のズームレンズ。
【請求項５】
前記第１レンズ群は１つ以上の負レンズと１つ以上の正レンズを有し、ズーミングに際して前記第１レンズ群は移動し、前記第１レンズ群の焦点距離をｆ１とするとき、
０．５０＜ｆ１／ｆｔ＜１．２０
なる条件式を満足することを特徴とする請求項１乃至４のいずれか１項に記載のズームレンズ。
【請求項６】
前記第２レンズ群は１つ以上の負レンズと１つ以上の正レンズを有し、ズーミングに際して前記第２レンズ群は移動し、前記第２レンズ群の焦点距離をｆ２とするとき、
０．１０＜｜ｆ２｜／ｆｔ＜０．２４
なる条件式を満足することを特徴とする請求項１乃至５のいずれか１項に記載のズームレンズ。
【請求項７】
前記中間群は負の屈折力の第４レンズ群よりなり、前記最終レンズ群は正の屈折力の第５レンズ群よりなり、ズーミングに際して各レンズ群が互いに異なる軌跡で移動することを特徴とする請求項１乃至６のいずれか１項に記載のズームレンズ。
【請求項８】
前記中間群は負の屈折力の第４レンズ群と負の屈折力の第５レンズ群よりなり、前記最終レンズ群は正の屈折力の第６レンズ群よりなり、ズーミングに際して各レンズ群が互いに異なる軌跡で移動することを特徴とする請求項１乃至６のいずれか１項に記載のズームレンズ。
【請求項９】
前記中間群は正の屈折力の第４レンズ群と負の屈折力の第５レンズ群よりなり、前記最終レンズ群は正の屈折力の第６レンズ群よりなり、ズーミングに際して各レンズ群が互いに異なる軌跡で移動することを特徴とする請求項１乃至６のいずれか１項に記載のズームレンズ。
【請求項１０】
請求項１乃至９のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１１
【補正方法】変更
【補正の内容】
【００１１】
本発明のズームレンズは、物体側から像側へ順に配置された、正の屈折力の第１レンズ群、負の屈折力の第２レンズ群、正の屈折力の第３レンズ群、開口絞り、少なくとも１つの負の屈折力のレンズ群を有する中間群、正の屈折力の最終レンズ群より構成され、ズーミングに際して隣り合うレンズ群の間隔が変化するズームレンズであって、
前記第３レンズ群は２つ以上の正レンズと１つ以上の負レンズを有し、
望遠端における前記第１レンズ群と前記第２レンズ群の合成焦点距離をｆ１２ｔ、前記中間群を構成するレンズ群のうち負の屈折力の絶対値が最も大きいレンズ群Ｎの焦点距離をｆｎ、前記第３レンズ群の焦点距離をｆ３、望遠端における全系の焦点距離をｆｔとするとき、
１．５０＜｜ｆ１２ｔ｜／ｆ３＜２．２０
０．２８＜｜ｆｎ｜／ｆｔ＜０．５９
なる条件式を満足することを特徴としている。
【手続補正３】
【補正対象書類名】明細書
【補正対象項目名】００３１
【補正方法】変更
【補正の内容】
【００３１】
広角端における最終レンズ群ＬＲの横倍率をβｋｗとする。第３レンズ群Ｌ３において、最も広い空気間隔を境に物体側に配置された部分を第３ａ群Ｌ３ａとし、像側に配置された部分を第３ｂ群Ｌ３ｂとする。第３ａ群Ｌ３ａの焦点距離をｆ３ａとする。第１レンズ群Ｌ１は１つ以上の負レンズと１つ以上の正レンズを有し、ズーミングに際して第１レンズ群Ｌ１は移動し、第１レンズ群Ｌ１の焦点距離をｆ１とする。第２レンズ群Ｌ２は１つ以上の負レンズと１つ以上の正レンズを有し、ズーミングに際して第２レンズ群Ｌ２は移動し、第２レンズ群Ｌ２の焦点距離をｆ２とする。
【手続補正４】
【補正対象書類名】明細書
【補正対象項目名】００６２
【補正方法】変更
【補正の内容】
【００６２】
非球面データ
第11面
K = 5.69819e+003   A 4= 1.68666e-006  A 6=-9.06463e-009
A 8= 2.71886e-010  A10=-1.17899e-012  
第12面
K =-5.08067e-001   A 4= 1.27424e-005  A 6= 5.68407e-009 
A 8= 3.97908e-010  
第14面
K =-5.12841e-001   A 4=-1.45830e-005  A 6=-2.79382e-008 
A 8=-2.06681e-009  A10= 6.24676e-012  
第24面
K = 0.00000e+000   A 4=-4.03606e-005  A 6= 8.14320e-008 
A 8=-7.37539e-010  A10= 2.06121e-012  
各種データ
ズーム比     4.71 
広角     中間     望遠
焦点距離      16.09    41.83    75.78  
Fナンバー      2.07     5.15     6.00  
半画角（度）  36.26    18.01    10.17  
像高          11.80    13.60    13.60  
レンズ全長   100.68   110.04   120.89  
BF            15.19    27.94    26.84  
d 5            0.58    12.48    22.70  
d11           24.56     7.30     1.39  
d20            2.63     7.73    17.32  
d23            7.27     4.13     2.17  
d25           15.19    27.94    26.84  
入射瞳位置    29.21    58.29   103.55  
射出瞳位置   -17.75   -18.76   -25.40  
前側主点位置  37.44    62.65    69.40  
後側主点位置  -0.90   -13.89   -48.94  
レンズ群データ
群   始面    焦点距離   レンズ構成長  前側主点位置  後側主点位置
Ｌ1    1      68.67        12.22         0.82         -6.24
Ｌ2    6     -13.81        12.88         1.91         -7.91
Ｌ3   12      21.56        18.03         2.70        -12.31
Ｌ4   21     -39.27         2.99         1.81          0.04
Ｌ5   24      43.37         4.35        -0.33         -3.23
単レンズデータ
レンズ  始面  焦点距離
1       1   -189.14
2       2    149.42
3       4     72.80
4       6    -18.23
5       8    -19.57
6      10     26.55
7      12     19.98
8      14    -35.25
9      16     21.70
10      18    -52.56
11      21    -25.58
12      22     66.66
13      24     43.37
【手続補正５】
【補正対象書類名】明細書
【補正対象項目名】００６４
【補正方法】変更
【補正の内容】
【００６４】
非球面データ
第12面
K = 8.45178e-001   A 4= 5.64142e-006  A 6= 7.45369e-008 
A 8=-1.38336e-009  A10= 1.23619e-011  
第14面
K =-1.01557e-001   A 4=-7.76908e-007  A 6=-6.54270e-008 
A 8=-1.95140e-010  
第19面
K = 6.64216e-001   A 4= 5.15408e-005  A 6= 2.33791e-007 
A 8=-9.76227e-010  A10= 1.37768e-011  
第26面
K = 0.00000e+000   A 4=-2.46987e-005  A 6=-5.66166e-009 
A 8= 1.77393e-010  A10=-5.99554e-013  
各種データ
ズーム比     4.71 
広角     中間     望遠
焦点距離      17.94    41.76    84.48  
Fナンバー      2.94     5.00     6.00  
半画角（度）  33.34    18.04     9.15  
像高          11.80    13.60    13.60  
レンズ全長    97.34   108.30   120.68  
BF            13.21    25.00    30.35  
d 5            0.58     9.85    19.17  
d13           16.03     6.07     1.28  
d22            2.62     8.68    14.20  
d25           11.61     5.39     2.39  
d27           13.21    25.00    30.35  
入射瞳位置    28.62    54.03   103.54  
射出瞳位置   -23.40   -19.82   -19.78  
前側主点位置  37.77    56.88    45.67  
後側主点位置  -4.73   -16.76   -54.13  
レンズ群データ
群   始面    焦点距離   レンズ構成長  前側主点位置  後側主点位置
L 1    1      55.69        13.60         2.13         -5.80
L 2    6     -10.15        15.19         3.18         -7.46
L 3   14      17.63        17.15         1.56        -10.03
L 4   23     -37.05         2.85         1.99          0.39
L 5   26      53.14         4.50        -1.15         -4.09
単レンズデータ
レンズ  始面  焦点距離
1       1   -145.99
2       2     92.58
3       4     68.17
4       6    -17.41
5       8    -19.70
6      10     20.10
7      12    -36.14
8      14     38.04
9      16     24.72
10      18    -24.50
11      20     30.43
12      23    -25.78
13      24     74.37
14      26     53.14
【手続補正６】
【補正対象書類名】明細書
【補正対象項目名】００６５
【補正方法】変更
【補正の内容】
【００６５】
（数値実施例３）
単位 mm
面データ
面番号       r        d      nd         νd       有効径
1         65.228    2.00   1.94595    18.0       50.48
2         47.456    5.17   1.69680    55.5       46.53
3         88.160    0.15                         44.02
4         41.871    4.94   1.69680    55.5       39.52
5        142.283  (可変)                         38.61
6        142.378    1.20   1.88300    40.8       26.67
7         13.179    6.05                         20.00
8        -47.464    0.90   1.88300    40.8       19.75
9         35.446    0.87                         19.41
10         28.835    2.90   1.94595    18.0       19.89
11       1740.640  (可変)                         19.80
12*        15.453    5.04   1.77250    49.6       21.56
13         72.432    2.84                         20.67
14        123.084    2.65   1.59282    68.6       18.43
15        -45.869    0.12                         17.62
16        -69.440    0.70   1.84666    23.8       17.01
17*        25.116    0.07                         15.57
18         17.263    3.62   1.59282    68.6       15.59
19        -87.337    1.16                         15.15
20(絞り)    ∞     (可変)                         14.23
21        349.729    0.70   1.69350    53.2       15.09
22         17.400    2.27   1.71736    29.5       15.39
23         25.276  (可変)                         15.62
24*        19.082    4.93   1.48749    70.2       21.23
25         78.743  (可変)                         21.32
像面        ∞   
非球面データ
第12面
K =-6.46132e-001   A 4= 2.37777e-005  A 6= 6.99525e-008 
A 8= 1.74530e-010  
第17面
K = 1.62306e+000   A 4= 7.24456e-005  A 6= 5.40826e-007 
A 8=-1.74497e-009  A10= 5.28140e-011  
第24面
K = 0.00000e+000   A 4=-3.46423e-005  A 6= 3.25939e-008 
A 8=-1.62350e-010  A10= 5.24958e-013  
各種データ
ズーム比     4.71 
広角     中間     望遠
焦点距離      16.61    41.76    78.21  
Fナンバー      2.07     4.64     6.00  
半画角（度）  35.39    18.04     9.86  
像高          11.80    13.60    13.60  
レンズ全長    97.81   108.49   120.70  
BF            14.83    27.15    26.20  
d 5            2.15    14.73    26.99  
d11           22.55     7.13     1.16  
d20            2.62     7.07    16.13  
d23            7.41     4.14     1.96  
d25           14.83    27.15    26.20  
入射瞳位置    29.86    59.24   111.51  
射出瞳位置   -17.17   -17.16   -22.14  
前側主点位置  37.84    61.64    63.17  
後側主点位置  -1.78   -14.61   -52.02  
レンズ群データ
群   始面    焦点距離   レンズ構成長  前側主点位置  後側主点位置
L 1    1      75.45        12.25        -0.12         -7.17
L 2    6     -13.84        11.91         1.10         -8.51
L 3   12      20.41        16.19         1.62        -10.55
L 4   21     -40.19         2.97         1.96          0.21
L 5   24      50.30         4.93        -1.03         -4.26
単レンズデータ
レンズ  始面  焦点距離
1       1   -194.76
2       2    140.20
3       4     83.46
4       6    -16.52
5       8    -22.86
6      10     30.97
7      12     24.49
8      14     56.70
9      16    -21.71
10      18     24.63
11      21    -26.43
12      22     69.47
13      24     50.30
【手続補正７】
【補正対象書類名】明細書
【補正対象項目名】００６７
【補正方法】変更
【補正の内容】
【００６７】
非球面データ
第12面
K = 8.58338e-001   A 4= 5.57146e-006  A 6= 6.59697e-008 
A 8=-9.18752e-010  A10= 8.56606e-012  
第14面
K =-1.76906e-001   A 4=-3.03720e-006  A 6=-6.37897e-008 
A 8=-1.81295e-010  
第19面
K = 6.24337e-001   A 4= 4.57564e-005  A 6= 2.09637e-007 
A 8=-1.19599e-009  A10= 1.23599e-011  
第28面
K = 0.00000e+000   A 4=-2.30829e-005  A 6= 1.71728e-008 
A 8= 9.53180e-011  A10=-2.74176e-013  
各種データ
ズーム比     4.71 
広角     中間     望遠
焦点距離      18.04    41.76    84.96  
Fナンバー      2.94     5.00     6.00  
半画角（度）  33.19    18.04     9.09  
像高          11.80    13.60    13.60  
レンズ全長    96.81   108.02   120.68  
BF            11.81    22.76    25.78  
d 5            0.58    10.81    20.53  
d13           16.27     6.29     1.28  
d22            2.62     8.56    14.47  
d25           10.43     4.39     3.52  
d27            0.58     0.69     0.58  
d29           11.81    22.76    25.78  
入射瞳位置    28.15    55.67   107.37  
射出瞳位置   -23.83   -20.63   -24.33  
前側主点位置  37.06    57.24    48.30  
後側主点位置  -6.23   -18.99   -59.18  
レンズ群データ
群   始面    焦点距離   レンズ構成長  前側主点位置  後側主点位置
L 1    1      57.22        13.55         2.62         -5.27
L 2    6     -10.33        14.95         3.25         -7.11
L 3   14      17.23        17.59         2.05        -10.07
L 4   23     -36.03         2.78         2.06          0.49
L 5   26    -144.60         0.75        -1.34         -1.83
L 6   28      45.00         4.89        -0.03         -3.32
単レンズデータ
レンズ  始面   焦点距離
1       1   -148.28
2       2     97.38
3       4     69.78
4       6    -17.70
5       8    -22.27
6      10     20.84
7      12    -32.09
8      14     39.99
9      16     24.76
10      18    -25.50
11      20     28.36
12      23    -26.71
13      24     87.97
14      26   -144.60
15      28     45.00
【手続補正８】
【補正対象書類名】明細書
【補正対象項目名】００６９
【補正方法】変更
【補正の内容】
【００６９】
非球面データ
第11面
K = 0.00000e+000   A 4= 2.77990e-006  A 6= 5.01516e-009 
A 8= 5.35699e-011  A10=-5.29843e-013  
第12面
K =-2.15051e+000   A 4=-8.65229e-006  A 6=-1.02248e-007 
A 8= 6.50805e-011  
第14面
K =-5.58052e-002   A 4= 1.57142e-005  A 6= 1.54307e-007 
A 8=-5.37125e-010  
第25面
K = 0.00000e+000   A 4=-4.07886e-005  A 6= 9.48193e-008 
A 8=-4.32267e-010  A10=-6.16086e-014  
各種データ
ズーム比     4.71 
広角     中間     望遠
焦点距離      18.17    40.60    85.54  
Fナンバー      2.10     5.00     6.00  
半画角（度）  33.01    18.52     9.03  
像高          11.80    13.60    13.60  
レンズ全長    99.13   109.10   119.77  
BF             9.92    17.64    27.15  
d 5            2.15    15.95    24.55  
d11           24.96    12.47     2.96  
d20            9.81     7.39    11.22  
d22            1.75     3.23     3.35  
d24            0.87     2.74     0.87  
d27            9.92    17.64    27.15  
入射瞳位置    34.43    72.69   112.20  
射出瞳位置   -15.17   -16.39   -16.80  
前側主点位置  39.44    64.86    31.25  
後側主点位置  -8.25   -22.96   -58.39  
レンズ群データ
群   始面    焦点距離   レンズ構成長  前側主点位置  後側主点位置
L 1    1      71.43        13.97         1.08         -7.91
L 2    6     -15.21        11.87         0.89         -8.52
L 3   12      22.10        14.83        -0.29        -10.24
L 4   21      53.92         2.70         2.33          0.79
L 5   23     -24.65         0.70        -0.06         -0.46
L 6   25      74.08         5.61        -4.35         -7.57
単レンズデータ
レンズ  始面  焦点距離
1       1   -179.49
2       2     99.51
3       4     95.28
4       6    -16.22
5       8    -28.77
6      10     32.10
7      12     38.73
8      14     28.83
9      16    -23.03
10      18     38.26
11      21     53.92
12      23    -24.65
13      25     35.77
14      26    -62.11
以下に各数値実施例の条件式の値を示す。